(57)【要約】【課題】  粘着ラベルを容易に剥離することができ、後処理としての分別作業も効率よく行える粘着ラベルを提供すること。【解決手段】  容器包装リサイクル法に基づいて分別収集するために廃棄物を処理し易くする粘着ラベルであって、ラベル本体２と、このラベル本体の裏面に固着される剥離紙４とを具え、前記ラベル本体の裏面に部分的に粘着部分２ｂが設けられたうえ前記剥離紙が接着されている。【選択図】      図２
2010286808.tif 000002
【特許請求の範囲】
【請求項１】
容器包装リサイクル法に基づいて分別収集するために廃棄物を処理し易くする粘着ラベルであって、ラベル本体と、このラベル本体の裏面に固着される剥離紙とを具え、前記ラベル本体の裏面に部分的に粘着部分が設けられたうえ前記剥離紙が接着されていることを特徴とする粘着ラベル。
【請求項２】
粘着部分が所定のパターンにより設けられている請求項１に記載の粘着ラベル。
【請求項３】
容器包装リサイクル法に基づいて分別収集するために廃棄物を処理し易くする粘着ラベルであって、裏面に粘着剤層が設けられたラベル本体と、このラベル本体の裏面に仮着される剥離紙とを具え、前記ラベル本体の裏面の粘着剤層が部分接着可能なように、該層に糊殺し部分が設けられたうえ前記剥離紙が接着されていることを特徴とする粘着ラベル。
【発明の詳細な説明】
【技術分野】
【０００１】
この発明は、容器包装リサイクル法に基づいて分別収集するために廃棄物を処理し易くする粘着ラベルに関するものである。
【背景技術】
【０００２】
従来、この種の粘着ラベルの利用の一例として、例えば一部重なり合うように複数個配置されたハムなどの食品用プラスチック製包装袋の袋間にわたる表面に該包装袋がばらけないように貼り付けられることがある。このような貼り付けにすることにより包装袋が何個あるのか等が一目瞭然となり、購入者にとっても利便性が高い。前記の粘着ラベルは、そのほかにダンボール箱や、ガラスビン、プラスチック容器などにも貼り付けられて用いられることもある。
【０００３】
前記のような粘着ラベルは図８に示すようなものであり、このラベル５１は、ラベル本体５２と、このラベル本体の裏面に固着される剥離紙５４とを具えている。ラベル本体５２は、基紙５２ａを有し、該基紙の裏面には粘着剤層５２ｃが全面にわたり設けられ、この粘着剤層５２ｃに剥離剤層５３が接するように剥離紙５４が設けられている。
【０００４】
ところで、前記のようにラベル５１を用いた食品を購入した者にとっては食品を消費した後の処理として平成７年に制定されたいわゆる「容器包装リサイクル法」に基づいて分別収集するために適正に廃棄物を処理することが要請されており、そのために該ラベルが接着された包装袋を、ラベルをうまく剥がして効率よく分別して廃棄する必要がある。家庭から出るゴミの約６０％は容器包装廃棄物（ガラス、プラスチック、金属、紙等からなる）であると言われており、これら容器包装廃棄物の減量化と再資源化を促進するために前記のような要請がされているのである。
【０００５】
しかしながら、従来の粘着ラベル５１は前記のように全面にわたり包装袋の表面に粘着されているため剥がすのが大変で分別に時間がかかり、容易でなかった。また、剥がすのが困難な場合は、一部にラベルを残してまま廃棄せざるを得ないという問題があった。
【発明の概要】
【発明が解決しようとする課題】
【０００６】
そこでこの発明は、前記のような従来の問題点を解決することができ、粘着ラベルを容易に剥離することができ、後処理としての分別作業も効率よく行える粘着ラベルを提供することを目的とする。
【課題を解決するための手段】
【０００７】
前記課題を解決するために、請求項１に記載の発明は、容器包装リサイクル法に基づいて分別収集するために廃棄物を処理し易くする粘着ラベルであって、ラベル本体と、このラベル本体の裏面に固着される剥離紙とを具え、前記ラベル本体の裏面に部分的に粘着部分が設けられたうえ前記剥離紙が接着されていることを特徴とする。請求項２に記載の発明は、請求項１において、粘着部分が所定のパターンにより設けられていることを特徴とする。
【０００８】
請求項３に記載の発明は、容器包装リサイクル法に基づいて分別収集するために廃棄物を処理し易くする粘着ラベルであって、裏面に粘着剤層が設けられたラベル本体と、このラベル本体の裏面に仮着される剥離紙とを具え、前記ラベル本体の裏面の粘着剤層が部分接着可能なように、該層に糊殺し部分が設けられたうえ前記剥離紙が接着されていることを特徴とする。
【発明の効果】
【０００９】
この発明は、前記のようであって、請求項１又は２に記載の発明によれば、ラベル本体と、このラベル本体の裏面に固着される剥離紙とを具え、前記ラベル本体の裏面に部分的に粘着部分が設けられたうえ前記剥離紙が接着され、請求項３に記載の発明によれば、裏面に粘着剤層が設けられたラベル本体と、このラベル本体の裏面に仮着される剥離紙とを具え、前記ラベル本体の裏面の粘着剤層が部分接着可能なように、該層に糊殺し部分が設けられたうえ前記剥離紙が接着されているので、従来剥がすのが難しかった粘着ラベルを容易に剥離することができる。つまり、食品用包装袋などの接着目的物に全面にわたる接着ではなく、部分的な粘着剤層、あるいは糊殺し部分以外の粘着剤層を介して接着することとなるので、剥がし易いものとなる。したがって、後処理としての分別作業も効率よく行うことができる。
【図面の簡単な説明】
【００１０】
【図１】この発明の一実施の形態を示す、粘着ラベルの平面図である。
【図２】図１の線Ａ−Ａに沿う断面図である。
【図３】剥離紙を剥がして裏面を表したラベル本体の裏面図である。
【図４】図３のＢ部拡大図である。
【図５】粘着ラベルをハム包装袋の連結に用いた使用状態を示す図面である。
【図６】粘着ラベルをボトルに用いた使用状態を示す図面である。
【図７】別の実施の形態の粘着ラベルを示す、図２と対応する断面図である。
【図８】従来の粘着ラベルを示す、図２と対応する断面図である。
【発明を実施するための形態】
【００１１】
以下、図面を参照しながら、この発明の一実施の形態に係る粘着ラベルについて説明する。
【００１２】
図１〜４において１は粘着ラベルを示し、この粘着ラベル１は、ラベル本体２と、剥離紙４とを具えている。ラベル本体２は、基紙２ａを有し、該基紙の表面には図示していないが商品名、内容量、成分、賞味期限、製造者、バーコードなどをはじめ各種の情報が印刷されており、かつ裏面には粘着部分としての糊２ｂが部分的に設けられている。すなわち、従来のラベル５１は裏面に粘着剤層５２ｃが全面にわたり設けられているが、このラベル１においてはこのような全面接着を可能とする粘着剤層５２ｃはなく、部分的な接着を可能とする糊２ｂが所定のパターンで設けられているだけである。この例では特に図４から明らかなように、周囲が空間（凹部）となるように縦横に等間隔で設けられた方形状の糊２ｂ（凸部）が多数斜めに傾いて全面配置された形になっており、前記凹部が糊殺し部分の役割を果たす。そして糊２ｂに剥離剤層３が接するように剥離紙４が接着されている。なお、ラベル本体２の表面に印刷される情報として前記に示したものは一例であり、そのほかの情報を印刷することが可能である。もっとも、情報が必要でない場合もあり、そういう場合は特に印刷はしない。
【００１３】
糊２ｂを所定のパターンにより設ける方法について説明すると、前記粘着ラベル１においては、まず剥離紙４の上にシリコーンからなる剥離剤層３を塗布し、この剥離剤層の上に所定のパターンで糊２ｂを引いていく。パターンは凸版又は凹版を用いた印刷方式で形成し、例えば図３，４に示すようなものとする（図示は凹版）。しかるうえで剥離紙４のパターン糊２ｂの上にラベル本体２を基紙２ａがパターン糊２ｂに載るように接着していく。これにより、図面に示すような粘着ラベル１が製作されることになる。
【００１４】
粘着ラベル１の使用に際しては、剥離紙４を剥がしたうえで、図示しない接着目的物の表面に糊２ｂのある裏面側を対面させるようにしてラベル本体２を接着していく。これは従来のラベル５１と変わらない。これにより、ラベル１は糊２ｂのある部分で接着し、所定の接着力を保つことができる。そして、後処理として、分別収集のため粘着ラベル１を剥がすときは、ラベル本体２の隅部等を指先で摘んで引き剥がすようにする。すると、ラベル本体２は部分的にしか設けられていない糊２ｂのみで接着目的物と接着しているだけであるから容易に剥がすことができる。従来のラベル５１は全面で接着されていたため、剥がすことが困難であったが、このラベル１を用いれば難なく剥がすことができる。したがって、接着目的物を容器包装リサイクル法に基づいてガラスとプラスチック、あるいは金属等に分別する場合でもラベル１と接着目的物とは容易に剥がれるため、分別作業も効率的に行える。
【００１５】
図５は接着目的物としてハムを包装した包装袋を複数個、連結するのにラベルを用いた例を示す。図で５，５’，５”はハム用包装袋であり、一部重合して横に並べられた形にされ、その表面間にわたり包装袋５，５’，５”がばらけないようにラベル１が接着されている。接着に際しては前記のように糊２ｂのある裏面側が包装袋５，５’，５”の表面を向き、ラベル１は接着される。包装袋５，５’，５”の裏面側にも別のラベル（図示せず）が接着されている。これは片側だけでは包装袋５，５’，５”はやはりばらけ易いので、一体性を確保することから設けられている。ラベル１を剥がすには前記のようにラベル本体２の隅部を摘んで行うが、接着が強くて剥がれにくいときは包装袋５，５’，５”間に形成される段差を利用してその小さい隙間から指先を入れて行ってもよい。
【００１６】
図６は接着目的物として例えばシャンプーを収容したボトルの胴部表面にラベルを接着した例を示す。ラベル１は剥離紙４を剥がしたうえ糊２ｂのある裏面側がボトル８の胴部表面を向き、接着される。剥がすときは前記包装袋５，５’，５”の場合と同様に隅部を指先で摘んで行う。
【００１７】
ラベル１を貼り付ける接着目的物としては、前記以外にダンボール箱やビールびんなどガラスビンでもよい。また、ボトルも、化粧品収容ボトルや飲食物収容ボトルなどでもよい。
【００１８】
前記のようであって、このラベル１を用いれば容器包装リサイクル法に基づく、分別収集に際して、ラベル１を容易に剥がすことができる。そのため、分別も容易に行うことができ、効率的である。
【００１９】
図７は別の実施の形態の粘着ラベルを示す。この粘着ラベル１１は、ラベル本体１２と、剥離紙１４とを具えている。ラベル本体１２は、基紙１２ａを有し、該基紙の裏面には粘着剤層１２ｃが全面にわたり設けられている。さらに、粘着剤層１２ｃの上には糊殺し部分１２ｂが所定のパターンによって形成されている。そして、糊殺し部分１２ｂ以外の粘着剤層１２ｃに剥離剤層１３が接するように剥離紙１４が接着されている。その他の構成は、前記実施の形態のラベル１と同様であるため、詳細な説明は省略する。
【００２０】
前記のような粘着ラベル１１においても剥離紙１４を剥ぎ取ったうえ糊殺し部分１２ｂのあるラベル本体１２の裏面側を接着目的物の表面に向けて接着することで、同様な接着力を保つことができる。また、分別収集のためラベル１１を剥がすときは、ラベル本体１２の隅部を摘んで引き剥がすようにする。すると、前記と同様にラベル本体１２は接着目的物とは糊殺し部分１２ｂ以外で接着しているに過ぎないから容易に剥がすことができる。
【００２１】
なお、前記実施の形態の粘着ラベル１，１１は、あくまでも一例を示したにすぎず、ラベルの大きさや平面の形状等は任意のものにすることができる。ラベル本体２，１２の表面への情報の印刷も任意であり、必要によっては情報の印刷がないものとしてもよい。また、糊２ｂによる部分的な接着のために糊をパターンで引いた例を示したが、パターンとするか、しないかは任意であるし、仮にパターンで引くものとした場合でもそのパターンの形状や模様は図示のようなものに限らず、任意である。
【符号の説明】
【００２２】
１  粘着ラベル
２  ラベル本体
２ａ  基紙
２ｂ  糊（粘着部分）
３  剥離剤層
４  剥離紙
５，５’，５”  食品の包装袋
８  ボトル
１１  粘着ラベル
１２  ラベル本体
１２ａ  基紙
１２ｂ  糊殺し部分
１２ｃ  粘着剤層
１３  剥離剤層
１４  剥離紙
【図１】
2010286808.tif 000003
【図２】
2010286808.tif 000004
【図３】
2010286808.tif 000005
【図４】
2010286808.tif 000006
【図５】
2010286808.tif 000007
【図６】
2010286808.tif 000008
【図７】
2010286808.tif 000009
【図８】
2010286808.tif 000010